(57)【要約】  マスクは、患者インターフェイス、および患者インターフェイスに備えられるリマインダーシステムを具備する。リマインダーは、機械的、電子的、化学的、および／または電気機械的形態で具現化され、患者インターフェイスのさまざまな部分、例えば、マスクフレーム、クッション、ホース、ヘッドギアなどに備えることができる。さらに、リマインダーシステムは、スタンドアロン型システムであってもよく、またＣＰＡＰ／ＰＰＶ装置の他の部分に備えることもできる。
2009528093.tif 000002
【特許請求の範囲】
【請求項１】
患者インターフェイスと、
前記患者インターフェイスに備えられるリマインダーシステムとを備えるマスク。
【請求項２】
前記リマインダーシステムは、クロック／タイマー、電源、インジケータ、およびアクティベータ要素と交信するコントローラを備える電子アセンブリを具備する請求項１に記載のマスク。
【請求項３】
前記アクティベータ要素は、所定の時間が経過した後、前記インジケータが活性化されるように前記クロック／タイマーを始動する構成である請求項２に記載のマスク。
【請求項４】
前記インジケータは、ランプである請求項２から３の少なくとも一項に記載のマスク。
【請求項５】
前記インジケータランプは、強度または緊急性が低いという警告を伝える第１のモードおよび強度または緊急性が高いという警告を伝える第２のモードで制御可能である請求項４に記載のマスク。
【請求項６】
前記所定の時間は、前記患者インターフェイスの推定製品寿命にほぼ等しい請求項３から５の少なくとも一項に記載のマスク。
【請求項７】
前記所定の時間は、前記患者インターフェイスの推定製品寿命よりも短い請求項３から５の少なくとも一項に記載のマスク。
【請求項８】
さらに、前記コントローラ、アクティベータ要素、クロック／タイマー、および電源を支持するプリント回路基板の形態の基板を備える請求項２から７の少なくとも一項に記載のマスク。
【請求項９】
前記コントローラは、制御チップを備える請求項２から８の少なくとも一項に記載のマスク。
【請求項１０】
前記電源は、電池である請求項２から９の少なくとも一項に記載のマスク。
【請求項１１】
さらに、手動遮断スイッチを備える請求項２から１０の少なくとも一項に記載のマスク。
【請求項１２】
さらに、少なくとも前記アクティベータ要素を覆うシェルを備え、前記シェルは洗浄液および／または患者の体液を実質的に通さない請求項２から１１の少なくとも一項に記載のマスク。
【請求項１３】
前記コントローラは、プログラム可能である請求項２から１２の少なくとも一項に記載のマスク。
【請求項１４】
前記コントローラは、複数のマスクコンポーネントの洗浄または交換を求める複数のリマインダーでプログラム可能である請求項２から１３の少なくとも一項に記載のマスク。
【請求項１５】
前記アクティベータ要素は、前記クロック／タイマーを起動するために押下可能であるプッシュボタンを備える請求項２から１４の少なくとも一項に記載のマスク。
【請求項１６】
前記プッシュボタンは、オフ位置からオン位置に可塑的に変形可能である柔軟な筐体を備える請求項１５に記載のマスク。
【請求項１７】
前記筐体は、金属またはプラスチックホイルで作られる請求項１６に記載のマスク。
【請求項１８】
前記プッシュボタンは、オフ位置にあるときに前記患者インターフェイス上に備えられている係合部材の上部凹みと係合するフランジ付き部材を備える筐体を具備し、前記筐体の前記フランジ付き部材は、前記上側凹みから前記係合部材の下側凹みへ移動可能であり、その後前記クロック／タイマーは活性化される請求項１５に記載のマスク。
【請求項１９】
前記患者インターフェイスは、マスクフレームを備え、前記係合部材は、マスクフレーム上に備えられる請求項１８に記載のマスク。
【請求項２０】
前記アクティベータ要素は、小さな重りと前記クロック／タイマーを活性化するために衝撃を加えた後壊れうる固定具とを備える筐体を具備する請求項２から１４の少なくとも一項に記載のマスク。
【請求項２１】
前記アクティベータ要素は、磁石と固定具を備える筐体を具備し、前記磁石は、磁力を印加して前記固定具を伸ばすか、または壊した後移動可能であり、それにより前記クロック／タイマーを活性化する請求項２から１４の少なくとも一項に記載のマスク。
【請求項２２】
前記アクティベータ要素は、前記患者インターフェイスに取り付けられた無線ＩＣタグを備え、前記タグは電磁場により活性化される請求項２から１４の少なくとも一項に記載のマスク。
【請求項２３】
前記アクティベータ要素は、レーザー光活性化要素を含む請求項２から１４の少なくとも一項に記載のマスク。
【請求項２４】
前記光活性化要素は、赤外線を受け取ると活性化可能である請求項２３に記載のマスク。
【請求項２５】
前記アクティベータ要素は、露出されている第１の端部と電源へのアクセスを遮断する位置である第２の端部とを有するプルタブを備え、前記プルタブは、前記回路を完成し、前記クロック／タイマーを始動するために除去される請求項２から１４の少なくとも一項に記載のマスク。
【請求項２６】
前記リマインダーシステムは、マスク交換の意図された月を示す少なくとも１つのリングを備え、前記リングは前記患者インターフェイスの一部に備えられる請求項１に記載のマスク。
【請求項２７】
前記患者インターフェイスは、前記マスクフレームに備えられたフレームおよびエルボーを具備し、前記リングは、前記エルボーまたは前記エルボーに関連するコネクタ要素に備えられる請求項２７に記載のマスク。
【請求項２８】
前記エルボーまたは要素は、くさび形フランジを備え、前記リングは、前記リングが適所にロックされるまでくさび形フランジ上にスライドさせることにより適所に固定されるような構造を有する請求項２７から２８の少なくとも一項に記載のマスク。
【請求項２９】
前記リングは、いったん取り付けられると前記エルボーから取り外せない請求項２７から２８の少なくとも一項に記載のマスク。
【請求項３０】
前記エルボーまたは要素は、前記リングと係合するように構成されている周辺リブを備える請求項２７から２９の少なくとも一項に記載のマスク。
【請求項３１】
前記リングは、前記リブと係合する溝を備える請求項３０に記載のマスク。
【請求項３２】
前記リマインダーシステムは複数のリングを備え、それぞれのリング上に１２カ月のうちの１つの月が表示される請求項１に記載のマスク。
【請求項３３】
前記リマインダーシステムは、歴月を含むカレンダーセクションがある中央部分と前記中央部分に備えられる少なくとも１つのフラップ部分とを有する折り畳みクリップを備え、前記折り畳みクリップは前記フラップ部分と前記中央部分との間の曲がりゾーンを備え、前記少なくとも１つのフラップ部分はヘッドギアストラップの周りに折り畳まれ前記リマインダーシステムを前記ヘッドギアに保持するように構成される請求項１に記載のマスク。
【請求項３４】
さらに、前記中央部分の回りでそれぞれ曲げることが可能な一対のフラップ部分を備える請求項３３に記載のマスク。
【請求項３５】
前記フラップ部分は、フックおよびループファスナーを備える請求項３４に記載のマスク。
【請求項３６】
前記カレンダーセクションは、前記所望の月またはマスク交換を示すためにマークされるか、または穴開けされうる複数のインジケータを備える請求項３３から３５の少なくとも一項に記載のマスク。
【請求項３７】
前記折り畳みクリップは、曲がり位置でその形状を維持するように構成されたアルミニウムで作られる請求項３３から３６の少なくとも一項に記載のマスク。
【請求項３８】
前記リマインダーシステムは、複数の歴月を一覧にしたカレンダーセクションを備え、そのうちの１つが前記マスクの交換について示されるようにでき、前記カレンダー部分は前記患者インターフェイスと関連するヘッドギアのフックまたはループファスナーと係合可能であるフックまたはループファスナーとともに裏当てを有する請求項１に記載のマスク。
【請求項３９】
前記リマインダーシステムは、ヘッドギアストラップを通すことができるクリップを備える本体を含むスライディングクリップと、溝と、１２カ月の一覧を示し、溝の中に挿入可能なカレンダーセクションとを具備する請求項１に記載のマスク。
【請求項４０】
前記溝は、３つの閉鎖側面とカレンダーが通される単一の開放側面を備える請求項３９に記載のマスク。
【請求項４１】
前記リマインダーシステムは、バックホイールまたはプレートに回転可能なように取り付けられたフロントホイールを備え、前記フロントホイールはバックホイールまたはプレート上の所望のメッセージと回転させることで位置を揃えられる穴を備える請求項１に記載のマスク。
【請求項４２】
前記メッセージは、暦年の月の形態をとる請求項４１に記載のマスク。
【請求項４３】
前記フロントホイールおよび前記バックホイールまたはプレートは、共通のスライドするアクスルを備える請求項４１から４２の少なくとも一項に記載のマスク。
【請求項４４】
さらに、スライドするアクスルに通されるランヤードを備える請求項４１から４３の少なくとも一項に記載のマスク。
【請求項４５】
前記バックプレートは、ランヤードを通すことができる貫通孔を備える請求項４１から４４の少なくとも一項に記載のマスク。
【請求項４６】
前記バックプレートは、ロゴ領域を備える請求項４１から４５の少なくとも一項に記載のマスク。
【請求項４７】
前記バックホイールまたはプレートは、前記患者インターフェイスの一体部分として形成され、前記フロントプレートは、バックホイールまたはプレート上にスナップ式に嵌められるか、または他の何らかの方法で取り付けられる請求項４１から４５の少なくとも一項に記載のマスク。
【請求項４８】
前記バックホイールまたはプレートは、一体化するように取り付けられているアクスルを備える請求項４１から４７の少なくとも一項に記載のマスク。
【請求項４９】
前記患者インターフェイスは、マスクフレームまたはエルボーを備える請求項４１から４８の少なくとも一項に記載のマスク。
【請求項５０】
前記リマインダーシステムは、少なくとも第１および第２のモードで動作可能な要素を備え、前記モードの少なくとも１つは、前記患者インターフェイスに関して特定の処置を講じる音響および／または視覚的リマインダーに関連付けられる請求項１に記載のマスク。
【請求項５１】
前記リマインダーシステムは、前記マスクの所定の特性に関係する信号を発生するセンサを備える請求項１に記載のマスク。
【請求項５２】
前記所定の特性は、調節可能な前額部支持体の調節の頻度に関係する請求項５１に記載のマスク。
【請求項５３】
前記所定の特性は、前記フレームへのヘッドギアストラップの取り付けおよび取り外しの頻度に関係する請求項５１から５２の少なくとも一項に記載のマスク。
【請求項５４】
前記センサは、クリックカウンタである請求項５１から５３の少なくとも一項に記載のマスク。
【請求項５５】
前記所定の特性は、前記患者インターフェイスのクッションの透明性に関係する請求項５１から５４の少なくとも一項に記載のマスク。
【請求項５６】
前記所定の特性は、前記患者インターフェイスのクッションの伝導性に関係する請求項５１から５５の少なくとも一項に記載のマスク。
【請求項５７】
前記所定の特性は、前記患者インターフェイスへの患者の体液の浸透に関係する請求項５１から５６の少なくとも一項に記載のマスク。
【請求項５８】
さらに、前記信号を受信するコントローラを備え、前記コントローラは前記所定の特性が存在する場合に前記マスクの洗浄または交換を求めるリマインダーを発生するように構成される請求項５１から５７の少なくとも一項に記載のマスク。
【請求項５９】
前記リマインダーシステムは、カバー、基板、および前記カバーと前記基板との間に位置する少なくとも第１の中間層を有するタグを備え、前記第１の中間層は所定の時間の経過した後に少なくとも第１の視覚的インジケータを示す化学薬品または組成物を含む請求項１に記載のマスク。
【請求項６０】
前記染料は、前記所定の時間が経過しなければ可視でない請求項５９に記載のマスク。
【請求項６１】
前記組成物は、時間の経過とともに徐々に拡散させることにより色または外観を変化させる染料を含む請求項５９から６０の少なくとも一項に記載のマスク。
【請求項６２】
前記組成物は、周囲大気環境の変化とともに変化する請求項５９から６１の少なくとも一項に記載のマスク。
【請求項６３】
前記染料の可視性は、温度依存である請求項６２に記載のマスク。
【請求項６４】
前記第１の視覚的インジケータは、一連の色付きストライプを含む請求項５９から６３の少なくとも一項に記載のマスク。
【請求項６５】
前記第１の視覚的インジケータは、前記マスクの交換および／または修理を求めるテキストメッセージを含む請求項５９から６４の少なくとも一項に記載のマスク。
【請求項６６】
前記第１の中間層は、第２の視覚的インジケータを含み、前記第１および第２の視覚的インジケータは第１および第２の異なる期間が経過した後に見えるようになる請求項５９から６５の少なくとも一項に記載のマスク。
【請求項６７】
前記第１の視覚的インジケータは、第１の所定の時間が経過したときに前記マスクを洗浄することを求める第１のメッセージを含み、前記第２の視覚的インジケータは、第２の所定の時間が経過したときに前記マスクを再び洗浄することを求める第２のメッセージを含む請求項６６に記載のマスク。
【請求項６８】
前記第１の視覚的インジケータは、第１の所定の時間が経過したときに前記マスクを洗浄することを求める第１のメッセージを含み、前記第２の視覚的インジケータは、第２の所定の時間が経過したときに前記マスクを交換することを求める第２のメッセージを含む請求項６６に記載のマスク。
【請求項６９】
前記第１および／または第２の視覚的インジケータは、所定の刺激に曝されることによりリセット可能である請求項６６から６８の少なくとも一項に記載のマスク。
【請求項７０】
前記所定の刺激は、前記マスクの通常使用時には遭遇しない高温の水および／または空気を含む請求項６９に記載のマスク。
【請求項７１】
前記第１の視覚的インジケータは、リセット可能である、前記マスクの洗浄に関係し、前記第２の視覚的インジケータは、リセット可能でなく、前記マスクの交換に関係する請求項６６から７０の少なくとも一項に記載のマスク。
【請求項７２】
前記第１の視覚的インジケータは、所定の回数だけリセット可能であり、リセット後、前記第２の視覚的インジケータが表示される請求項６６から７１の少なくとも一項に記載のマスク。
【請求項７３】
前記所定の回数は、食器洗い機での所定の洗浄サイクル数を含む請求項７２に記載のマスク。
【請求項７４】
さらに、前記タグを前記患者インターフェイスに接続するためのランヤードを備える請求項５９から７３の少なくとも一項に記載のマスク。
【請求項７５】
前記患者インターフェイスは、所定の事象が発生した後に少なくとも第１の視覚的インジケータを見せる化学薬品または組成物を有する埋め込み層を持つ要素を備える請求項１に記載のマスク。
【請求項７６】
前記要素は、親脂性シリコンで作られたクッションであり、前記特定の事象は、患者の脂質が前記埋め込み層に浸透したことであり、その事象の後、前記化学薬品または組成物が目に見えるようになる請求項７５に記載のマスク。
【請求項７７】
前記所定の事象は、前記マスクの通常使用で所定の長さの時間が経過した後に発生するようにスケジュールされる請求項７５から７６の少なくとも一項に記載のマスク。
【請求項７８】
前記要素は、フレーム、エルボー、ヘッドギア、および／またはスイベルコネクタを備える請求項７５から７７の少なくとも一項に記載のマスク。
【請求項７９】
前記リマインダーシステムは、所定の事象が発生した後に停止する少なくとも１つの快適機能の形態である請求項１に記載のマスク。
【請求項８０】
前記所定の事象は、所定の長さの時間の経過である請求項７９に記載のマスク。
【請求項８１】
前記快適機能は、前記所定の事象が発生した後に停止する心地よい香りである請求項７９から８０の少なくとも一項に記載のマスク。
【請求項８２】
前記患者インターフェイスは、香りをスプレーされるか、または香りで被覆されるか、または前記マスクに結合可能である基板上に備えられる請求項８１に記載のマスク。
【請求項８３】
前記患者インターフェイスは、その特性として前記香りを有する物質で作られる請求項８１に記載のマスク。
【請求項８４】
前記香りは、燃料補給可能であるか、または補充可能である請求項８１から８３の少なくとも一項に記載のマスク。
【請求項８５】
前記マスクの洗浄では、香りを補充する請求項８４に記載のマスク。
【請求項８６】
前記快適機能は、メッセージメカニズムである請求項７９から８０の少なくとも一項に記載のマスク。
【請求項８７】
前記リマインダーシステムは、所定の長さの時間が経過した後にリマインダーを発生するように構成される請求項１に記載のマスク。
【請求項８８】
前記所定の長さの時間は、患者特有の因子および／または用途特有の因子に基づき調節することができる公称時間長に基づく請求項８７に記載のマスク。
【請求項８９】
前記所定の長さの時間は、前記因子の重み付けを行う公式を使用して計算されうる請求項８８に記載のマスク。
【請求項９０】
前記公称時間長は、前記マスクの適切な保守に基づき延長されうる請求項８８から８９の少なくとも一項に記載のマスク。
【請求項９１】
前記リマインダーシステムは、前記患者インターフェイスの表面に接着された粘着ステッカーを備える請求項１に記載のマスク。
【請求項９２】
前記リマインダーシステムは、前記患者が呼吸のために使用する色を変化するように適合されたハイパーカラー布を備え、前記ハイパーカラー布は、所定の洗浄回数の後に色を変化させる能力が消耗し、それにより、新しいマスクの入手を前記患者に促すように構造化された請求項１に記載のマスク。
【請求項９３】
前記リマインダーシステムは、所定の長さの時間が経過した後に活性化される電池式で表示されるメッセージを含む請求項１に記載のマスク。
【請求項９４】
前記リマインダーシステムは、メッセージが表示されるように所定の長さの時間が経過した後にあらわになる電池で駆動される不透明窓を含む請求項１に記載のマスク。
【請求項９５】
前記リマインダーシステムは、マスク寿命を示す残量計を備える請求項１に記載のマスク。
【請求項９６】
前記リマインダーシステムは、マスク交換に対する所定の日数から０にまで毎日カウントダウンするデジタルタイマーを備えるスタンドアロン型デバイスであり、前記デジタルタイマーは、ボタンを押すとリセット可能である請求項１に記載のマスク。
【発明の詳細な説明】
【技術分野】
【０００１】
［関連出願への相互参照］
本出願は、その全体が参照により本明細書に組み込まれる２００７年１月１９日に出願した米国仮出願第６０／８８１，１５７号および２００６年３月１日に出願した米国仮出願第６０／７７７，５６４号の利益を主張するものである。
【０００２】
本発明は、閉塞性睡眠時無呼吸（ＯＳＡ）、慢性閉塞性肺疾患（ＣＯＰＤ）、または他の呼吸関連疾患／疾病を患っているか、または他の何らかの形でそうであると診断されている患者のためのＣＰＡＰ（持続的気道陽圧法）またはＰＰＶ（陽圧換気）療法の分野に関する。特に、本発明は、ＣＰＡＰ装置またはそのコンポーネントを整備もしくは交換する時期に関するタイムリーなリマインダーを与える方法および装置に関する。好ましくは、このリマインダーは、ＣＰＡＰ／ＰＰＶ患者に直接送られるが、この合図は、クリニック、医療機器販売業者／メーカー、臨床医、技師、および／または医者などへのリマインダーとして使用することも可能であろう。
【背景技術】
【０００３】
ＣＰＡＰ／ＰＰＶ療法では、典型的には約４〜２０ｃｍＨ２Ｏの範囲で加圧された呼吸可能ガスを供給するためにブロワーまたは流体発生装置を使用する必要がある。加圧ガスは、ほとんどの場合、周囲空気であるが、空気送出導管を使用して患者インターフェイスに送出される。患者インターフェイスは、鼻専用マスク、鼻と口用のマスク、ノズルなどを含むさまざまな形態をとることができ、すべてＲｅｓＭｅｄから市販されている。
【０００４】
ＣＰＡＰ／ＰＰＶ療法の過程において、いくつかのコンポーネントは、さまざまな種類の用途に用いられ、当然のことながら、なにがしかの整備、保守、または修理、場合によっては交換を必要とする。例えば、マスククッション（通常はシリコーンでできている）は、さまざま機械的応力、例えば、圧縮および／または張力の作用を受けるが、それは、ある程度のポジティブな接触が、加圧ガスの過度の漏れを防ぐのに適した封止を実現し、および／または患者に気持ちよく、安全に装着できるようにするうえで一般的に有益であるからである。マスク（およびクッション）は、封止を形成し、および／または維持するために十分な張力をかけることができるヘッドギアを使用してユーザー／患者の頭部で支えられる。それに加えて、ユーザーの皮膚の油、顔用クリーム、ニコチン、高温、日光、および他の制御可能でない活動との接触またはそれらへの暴露がマスククッションの汚損および／または破損を引き起こしうる。
【０００５】
時間が経過したら、一般的に、マスククッションを洗浄することが推奨され、これは、手でまたは食器洗い機で洗浄すると便利である。しかし、シリコーンの封止および／または他の機械的／触覚特性は、使用および／または洗浄を繰り返すと劣化してゆく可能性があるため、および／またはシリコーンは、単純に、治療に臨む気持ちを失わせる可能性のある望ましくない見かけを持つことがあるため、多くのメーカーは、６カ月使用した後にマスククッションを交換することを推奨している。いくつかの事例では、ヘッドギアなどのマスクアセンブリの他のコンポーネントは経年変化するので、マスクアセンブリ全体を同時に交換する。コンポーネントを技術的に交換する必要がある場合の実際の期間は、マスクが定期的に適切に洗浄されているかどうか、マスククッションとの患者の特定の化学的相互作用に応じて、患者毎に異なることがあるが、６カ月が一般に平均である。さらに、マスククッションについて、保険を通してクッションのコストを払い戻しされる可能性がありうる。現在、米国の保険では、患者が持続的療法に積極的に関わっていることを証明できると仮定して、６カ月おきに交換用マスククッションの実費を患者（またはヘルスケアプロバイダ）に払い戻す。
【０００６】
クッション／マスクの交換が６カ月毎に行われることが推奨されるけれども、ほとんどの場合、患者は、かなり長い間隔で、例えば、１年毎に交換することがわかっている。さらに、マスクを適切に保守および／または交換しないと、結果として、最適とはいえない治療を受けることになり、さらには患者が怪我をする、例えば、患者の頬または鼻梁領域に床ずれが生じる可能性がある。
【０００７】
従来技術である、Ｆｉｓｈｅｒ  ａｎｄ  Ｐａｙｋｅｌの安価な解決手段では、単純なステッカーの形態のリマインダーが提供される。患者がマスクの使用を開始するときに、計算された寿命を記載したステッカーが患者のカレンダーに貼られる。患者は、マスクを使用し、またカレンダーに付いているステッカーを見たときに新しいマスクを注文することが期待される。Ｒｅｓｐｉｒｏｎｉｃｓの他の従来技術のリマインダーシステムでは、マスクパッケージに、マスクをいつ交換するのかに関するリマインダーとなる名刺が付属する。つまり、名刺には、歴月の一覧と、患者が新しいマスクを着用すべき月に丸を付ける指示が記載されている。
【０００８】
その全体が参照により本明細書に組み込まれる２００４年１２月２２日に出願したＲｅｓＭｅｄの特許文献１では、マスクの近似的「齢」を表示する特性を有するさまざまなマスクシステムが説明されている。例えば、一実施形態では、マスクの応力白化は、「齢」の視覚的指標となり、例えば、さまざまなコンポーネントの曲げを繰り返すと、応力白化が引き起こされ、したがって、マスクを交換する合図となる信号が病院技師に送られる。他の実施形態では、経年変化特性は、患者の皮膚、汗、油、顔面分泌物などとの接触により、あか、染みなどの蓄積を表示する物質（例えば、ヘッドギアおよび／またはフレーム内の）を使用することによりもたらされうる。これらの経年変化特性は、病院で使用する状況では臨床医または看護師に信号を送るのに完全に適していると思われるが、家庭使用環境でマスクの整備点検または交換の必要性を知らせる信号を送るより実用的な方法が考えられる。家庭使用環境では、患者は、典型的には、マスクの劣化または変化を容易に認識することはないが、それというのも、これは数週間および／または数カ月にわたってゆっくりと進行する中で生じるからである。
【特許文献１】国際公開第２００５／０６３３２７号パンフレット
【特許文献２】米国特許仮出願第６０／６２６，１７８号明細書
【特許文献３】米国特許非仮出願第１０／５３３，９４０号明細書
【特許文献４】米国特許第５，５５７，２０８号明細書
【特許文献５】米国特許第５，５９６，２７８号明細書
【特許文献６】米国特許仮出願第６０／７５０，８０２号明細書
【特許文献７】米国特許仮出願第６０／６５６，８８０号明細書
【非特許文献１】www.washingtonpost.com/wp-srv/photo/essays/vanRiper/030110.htm
【非特許文献２】www.balgownievet.com.au/images/ezi_merchant_images/flea_tick_products/frontline/merial_magnet.jpg
【発明の開示】
【発明が解決しようとする課題】
【０００９】
したがって、患者がＣＰＡＰ装置またはマスククッションなどのそのコンポーネントを整備点検および／または交換するためのリマインダーまたはリマインダーシステムを開発する必要性が当業で生じた。
【課題を解決するための手段】
【００１０】
本発明の一態様は、ＣＰＡＰ／ＰＰＶ装置またはマスククッション、マスク、空気送出導管、ヘッドギアなどの、そのコンポーネントを整備点検または交換するよう指示するリマインダーを（家庭使用）患者に送ることに関係する。このようなリマインダーは、療法とその有効性を高めるのに役立つと考えられる。リマインダーは、家庭向け設定で治療を実施する患者に対し使用されうるが、リマインダーは、臨床用途または病院用途にも適している。
【００１１】
他の態様は、よく保守された機器を使用して治療効果を高めるよう患者を励ますことである。このような奨励は、マスククッションを定期的にクリーニングすることを患者に促すリマインダーの形態をとりうるが、そうすることで、コンポーネントの耐用寿命が長くなる。これは、マスクをそれほど頻繁に交換する必要がなくなるので、保険業界のコストを削減するのにも役立つ。
【００１２】
本発明の一実施形態によれば、患者インターフェイス、および患者インターフェイスに備えられるリマインダーシステムを備えるマスクが実現される。患者インターフェイスは、限定はしないが、フルフェースマスク、鼻マスク、鼻カニューレ、ノズルまたはパフ、および関連するコンポーネント、例えば、ヘッドギア、空気送出管などを備えることができる。リマインダーは、機械的、電子的、化学的、および／または電気機械的形態で具現化され、患者インターフェイスのさまざまな部分、例えば、マスクフレーム、クッション、ホース、ヘッドギアなどに備えることができる。さらに、リマインダーシステムは、スタンドアロン型システムであってもよく、またＣＰＡＰ／ＰＰＶ装置の他の部分に備えることもできる。
【００１３】
本発明の他の態様は、リマインダーを、例えば、患者および／またはリマインダーシステムに、例えば、マスクに送るさまざまな方法を対象とする。
【００１４】
本発明の他の態様、特徴、および利点は、本開示の一部であり、例えば本発明の原理を例示している、付属の図面とともに、以下の詳細な説明を読むと明らかになるであろう。
【００１５】
付属の図面は、本発明のさまざまな実施形態を理解するのに役立つ。図面は後のほうで説明される。
【発明を実施するための最良の形態】
【００１６】
呼吸マスクの典型的な耐用寿命は、太陽光線への直接的暴露、食器洗い機のサイクルの数、機械的応力、化学クリーナー、顔面皮膚クリームなどのさまざまな要因に依存し、それぞれ、マスク品質および／またはマスク耐用寿命に悪影響を及ぼしうる。治療が成功するかどうかは、マスク品質に大きくかかっており、例えば、汚れたマスクや染みの付いたマスクは、例えば、潰瘍性皮膚炎および／または痛みによる苦痛を被り始める理由となりうる。したがって、マスクの耐用寿命は、無限ではない。良好な状態にあるよい封止マスクは、患者にとってより快適なものであり、その結果、一般に、臨床医、医師、または睡眠検査室への訪問が少なくなり、コスト低減に大いに役立つであろう。
【００１７】
本発明は、マスクの整備点検、修理、洗浄、および／または交換がいつ推奨されるかに関するリマインダーまたはインジケータを患者に与えるリマインダーまたはリマインダーシステムの開発を対象とする。リマインダー／システムは、低コスト、洗浄可能、使いやすく、および／または聞きやすく見やすいものであるのが好ましい。インジケータは、マスクの劣化が（視覚的に）患者に知らされ、クリーニングまたは交換を促すように構成されうる。他の方法では、インジケータまたはリマインダーは、単に、マスクを交換することが推奨される時期を示すだけでもよく、例えば、マスクのメーカーの保証耐用寿命の指標であってよい。
【００１８】
本明細書で取りあげられている実施例は、マスクのリマインダーシステムを実現することを対象としているが、リマインダーまたはリマインダーシステムは、追加の治療用コンポーネント、例えば、マスクの流体発生装置、フィルタ、加湿器管、空気送出管、個別コンポーネントなど用に備えることができることに留意されたい。これらのコンポーネントはそれぞれ、修理／交換のさまざまなスケジュールを有している可能性のあることは理解されるであろう。
【００１９】
［１．０  化学薬品および／または組成物および／または外観の変更に基づくリマインダー］
［１．１  タグ］
図１〜２は、本発明の第１の実施形態によるリマインダーシステム５を例示している。この実施形態では、システム５は、ヘッドギア、肘などの患者インターフェイスの一部に備えられるか、または他の何らかの形で接続されるタグまたはハンガー１０を含む。この実施例では、タグ１０は、孔２０に通され、患者インターフェイスに固定されるランヤード１５または単純にある長さの紐などを備える。
【００２０】
図２に示されているように、タグ１０は、基板２５、中間層３０、およびカバー３５（好ましくは透明な）を含む層構造物を備える。中間層３０は、好ましくは、防水するように基板２５とカバー３５との間に入れられ、化学薬品または活性化後時間とともに変化する組成物を含む（活性化は、単にカバー、基板、および中間層を固定することにより生じうる）。例えば、中間層は、中間層からカバーへと拡散する染料を含むことができる。例えば、所定の期間の経過後、例えば、３カ月、４．５カ月、６カ月などの期間が経過した後、化学層は（完全に、またはより完全に）活性化し、メッセージ４０を患者に、例えば、一連のカラーストライプ、または「ＰＬＥＡＳＥ  ＲＥＰＬＡＣＥ」マスクなどのテキストメッセージの形で送る。
【００２１】
それぞれ別に、中間層の化学薬品または組成物は、例えば、アイロンまたはヘアドライヤーを使用してタッチスクリーン技術と似た方法で孤立層を溶かしてしまい、温度に応じて放出されるか、または活性化されるか、または他の何らかの方法で暴露されるようにできる。図２Ａ〜２Ｄに示されているように、タグ１０は、小さなバンプスまたはボール１４により分離された２つの層１２、１３を含む。アイロンまたはヘアドライヤーを使って、熱１６を発生させることで、バンプス１４を溶かし、化学薬品で覆われた２つの内部表面１７、１８が接触するか、またはバンプス１４の溶融状態により、単純に、表面１７、１８が連絡するようにできる。
【００２２】
「ＰＬＥＡＳＥ  ＲＥＰＬＡＣＥ」メッセージは、所定の期間が経過するまで表示されない。そのときが来るまでは、そのメッセージは、不可視であるか、またはメッセージのアウトラインしか見えない。所定の期間が経過すると、アウトラインが見える状態から実体が見える状態にメッセージが転換するように化学薬品がスペースを埋める（またはその色を変化させる）。
【００２３】
［１．１．１  複数のメッセージおよび／または予め定められている時間］
それに加えて、またはそれとは別に、タグ１０は、定期的に（毎週または毎月）、保守メッセージ、例えば「ＰＬＥＡＳＥ  ＷＡＳＨ」を発することが可能である。交換メッセージに加えて、クリーニングメッセージが発せられる場合、そのようなインジケータに対する異なるタイミングが考慮されるべきである。解決策の１つは、それぞれが所望の期間が経過した後に現れる化学薬品または組成物を有する２つの中間層を備えることであろう。他の代替え形態では、それぞれの化学薬品または組成物が所望の期間に活性化される同じ中間層上に２つの異なる化学薬品を用意することであろう。メッセージ「ＰＬＥＡＳＥ  ＲＥＰＬＡＣＥ」および「ＰＬＥＡＳＥ  ＷＡＳＨ」の代わりに、異なる色を使用することも考えられ、例えば、黄色で洗浄、赤色で交換などを表す。
【００２４】
［１．１．２  リセット可能］
マスク／クッションの洗浄は、典型的には、マスク／クッションを食器洗い機に通すことにより実行される。「ＰＬＥＡＳＥ  ＷＡＳＨ」メッセージは、洗浄が行われた後に非活性化できると考えられる。例えば、そのメッセージを発する化学薬品または組成物は、マスクタグ１０が食器洗い機関連する高温の空気および／または水に曝された場合に中和または非活性化されうるが、通常の使用ではそうならない。その場合、患者は、マスクの洗浄が使用になる毎に洗浄の催促を受ける。さらに、「ＰＬＥＡＳＥ  ＲＥＰＬＡＣＥ」メッセージはリセット可能でないが、「ＰＬＥＡＳＥ  ＷＡＳＨ」メッセージはリセット可能であるようにすることも考えられる。
【００２５】
［１．１．３  所定の事象が発生した後にメッセージを活性化する］
「ＰＬＥＡＳＥ  ＲＥＰＬＡＣＥ」メッセージは、さらに、所定の事象の後、例えば、食器洗い機で所定の数のサイクルを過ごした後に開始されうる。例えば、ほとんどのマスクは、毎週または毎月洗浄するよう推奨される。化学薬品層は、食器洗い機に所定のサイクル数だけ曝された場合に「ＰＬＥＡＳＥ  ＲＥＰＬＡＣＥ」を示すように活性化することが可能であり、例えば、６サイクルでマスクを毎月クリーニングするよう推奨され、予想寿命は６カ月、または毎週マスクをクリーニングするよう推奨される場合には２０〜２６サイクルである。
【００２６】
［１．１．４  タイマーに基づき活性化する］
もちろん、所定の事象は、所定の長さの時間の経過とすることが可能であり、その場合、化学薬品または組成物は、所定の期間の経過後、例えば、化学薬品層を活性化する信号を送信するタイマーと併せて使用した場合に活性化されうる。少なくとも一実施形態における、タイマーの使用について以下で詳述する。
【００２７】
［１．１．５  マスクは化学薬品層または組成物を含む］
化学薬品または組成物は、タグ上に用意されるものとして上で説明されているが、化学薬品層または組成物は、さらに、マスクそれ自体の一部、例えば、マスクフレーム、クッションエルボー、ヘッドギア、スイベルコネクタなどの上に備えられるか、埋め込まれるか、または形成されうる。
【００２８】
例えば、図３および４は、マスクを使用してから所定の時間が経過した後表示されるメッセージ５０、例えば、「ＲＥＰＬＡＣＥ」を有するクッション４５を示している。メッセージの文字は、上述のタグ１０のように、色を変える細長い材料でできている。
【００２９】
［１．２  親脂性］
他の実施形態では、マスククッションは、親脂性（ＬＰ）シリコーンまたは時間がたつうちに磨耗の兆候を示す場合も示さない場合もある他の材料で作られるか、または含みうる。ＬＰシリコーンは、全体がＬＰシリコーンで作られてもよく、その場合、クッション全体が、患者がマスクを交換するきっかけとなる視覚的信号である、黄色に見え始める。
【００３０】
他の代替え形態では、クッションは、クッションが比較的新しいときには通常透明である１つまたは複数のセルもしくはポケットを備える封じ込められた、または埋め込まれた層（クッションの厚さ部分の中の）を有するように構築されうる。セルまたはポケットは、レタリング（「ＲＥＰＬＡＣＥ  ＣＵＳＨＩＯＮ」）および／またはロゴなどの形をとることができるが、患者に対し視覚的指示となるものであればなんでもよい。クッションが磨耗し、その寿命に近づくにつれ、セルまたはポケットは色を変え始め、これにより、メッセージが現れる。セルまたはポケットは、患者の体液（例えば、汗、唾液、脂質、油など）と反応する物質を含むことができ、その結果、セル／ポケット内の物質またはポケットそれ自体の色の変化を引き起こす。例えば、この物質は、患者からの脂質が時間の経過とともにセルまたはポケットが配置されている所定の深さまで浸透すると色を変え、それによりメッセージ、例えば「ＲＥＰＬＡＣＥ」を出現させる、ＬＰシリコーンとすることができる。図３および４を参照すると、患者体液活性可能物質のポケットまたはセルは、「ＲＥＰＬＡＣＥ」メッセージの文字の形態をとる。
【００３１】
［１．３  センサ］
上記の実施形態では、マスクまたはクッションを洗浄もしくは交換する必要のあることを示す（視覚的）信号が患者に送られる。他の実施形態または図５に略図として示されている本発明の変更形態では、システム５５は、マスクの経時変化を示す事象の発生を監視または感知し、信号（音響／視覚）を発生してコントローラ６５に供給し、次いでインジケータ７０を活性化し（光、ビープ音など）、患者に推奨処置を警告として知らせるセンサまたはモニタ６０を備える。
【００３２】
［１．３．１  透明度センサ］
センサ６０は、時間の経過によるクッションの外観の変化を検出するために備えることができる。使用していると、クッションは、例えば、比較的透明な状態から比較的不透明な状態に変える（身体の油、体液、クリームなどのせいで）ことにより、その外観を変える。他のコンポーネントは、他の測定可能な変化、例えば、応力白化（繰り返し曲げることにより生じる）などにより経過時間を示すことができる。こうして、センサは、この状態または遷移を感知し、信号を患者に送ることが可能である。
【００３３】
［１．３．２  患者体液センサ］
他の変更形態では、センサは、クッションの厚さ内に埋め込むことができ、患者の体液が所定の深さまで浸透したときに信号を送信することが可能である。例えば、クッションは、時間の経過とともに、例えば、３カ月、６カ月などの経過とともに患者の脂質の浸透を許す親脂性シリコーンで作ることができ、そのような浸透が生じたときに、信号が患者に送信され、患者に処置をとらせる（洗浄、交換など）。
【００３４】
［１．３．３  伝導度センサ］
さらに他の実施形態では、センサは、クッションの所定の特性を監視するために使用されうる。例えば、脂質または他の体液が存在することで、クッションの伝導度（または他の特性）が変化しうる。所定の量の脂質がクッション上に、またはクッション内に存在する場合、伝導度モニタは、マスクを修理／交換することを患者に求める信号を発生する。
【００３５】
［１．４  ハイパーカラーの実施形態］
他の実施形態では、マスクの少なくとも一部、例えば、クッションはハイパーカラー織物または材料で作ることができ、ハイパーカラー織物または材料は、患者がこの織物または材料を通して呼吸するときに色を変える。色の変化は、マスクが正常に稼働していることを示しうる。色を変えられるということで、何回も（例えば、５〜１００、好ましくは約５０回）洗浄した後、退色する可能性があり、このときに患者が新しいマスクを入手することが求められる。
【００３６】
［２．０  電気］
図６は、本発明の一実施形態によるリマインダーシステム７５の略図である。リマインダーシステム７５は、クロック／タイマー９５、電源１００、インジケータ１０５、およびアクティベータ要素１１０を有するコントローラ９０を備える基板８５を含む電子システム８０を備える。シェル１１５は、封止するようにしてアセンブリを覆う。
【００３７】
図７は、ボタンの形態に設計されている電子リマインダーシステム１２０の平面図であり、図８は、その断面側面図である。システム１２０は、制御チップ１３０（タイマー／クロック付き）、クォーツ素子１３５、インジケータ１４０（例えば、ＬＥＤ）、およびアクティベータ要素１４５をサポートするプリント回路基板（ＰＣＢ）の形態の基板１２５を備える。基板／ＰＣＢ  １２５は、電源１５０、例えば、電池（例えば、閉鎖システムで使用するのにちょうどよいリチウムイオン電池などの標準またはカスタマイズされたセル）上に取り付けられ、シェル１５５がアセンブリ全体を覆う。システム１２０の内部コンポーネントは、好ましくは、マスクに関して、カバーにより完全に封止され、これにより、その動作は、マスクの通常使用およびクリーニングの悪影響を受けず、マスクの通常使用およびクリーニングは、その動作の悪影響を受けない。
【００３８】
［２．１  動作のタイミング］
図９は、電子リマインダーシステムの意図した動作を決めるタイミング図である。最初に、点２００において、マスクが製造される。このときに、マスクが確実に正しく動作するように機能テストが実行される。機能テストは、電子リマインダーシステムが動作可能かどうかを判定するテストを含むことができる。このテスト時に、デバイスは、セルフテストを実行し、インジケータ１０５、１４０を介してテストの結果を示す。
【００３９】
点２００と２０５との間で、システムがオフになる。点２００と２０５との間の時間は、製品がメーカー／販売店（プロバイダ）から患者に出荷または配送されるその時間に対応する。
【００４０】
点２０５において、電子システム７５、１２０は、例えば、アクティベータ要素１１０、１４５を使用して活性化される。ある種のフィードバック（インジケータの点滅、ビープ音など）が送られ、これにより、活性化が生じたことが確認される。点２０５は、製品が患者に支給され、患者または臨床医がアクティベータ要素を活性化する時間に対応する。タイマーが活性化され、実行中である場合、インジケータランプは、点灯しない（活性化が行われた初期検証として以外）。そのため、システムは、いわゆるスリープまたは消音モードで動作し、その時間はタイマー／クロックにより測定される。
【００４１】
タイマー／クロックは、所定の長さの時間が経過するまで動作している。例えば、所定の期間は、コンポーネントおよびとるべき処置に応じて、短い場合も、長い場合もある。点２１０、２１５、および２２０は、実施例または代表的な所定の期間である。所定の長さの時間が経過した後、マスクに関して処置を講じることを指示する視覚的インジケータ（光）を患者に送るようにインジケータが活性化される。インジケータは、さらに、音響信号（例えば、ビープ音）の形態もとりうる。
【００４２】
インジケータは、点２２５まで活性化されており、その後、インジケータは、例えば、電池切れにより、非活性化される。それとは別に、インジケータは、所定の時間の間、例えば、数日ないし数時間の間、活性化され、その後、患者があまり不快な思いをしないように自動的に非活性化されるようにできる。この代替え形態では、インジケータは、患者にマスクの交換を迫るのもこれが最後と（例えば、１もしくは２日後、もしくは１週間後に）再び活性化するように制御することができる。さらに他の代替え形態では、システムは、タイマーおよび／またはインジケータランプを即座に非活性化したい場合に患者がアクセスできる遮断スイッチまたはボタンを備える。
【００４３】
［２．２  複数の指示モード］
インジケータは、患者刺激パターンおよび／または強度が時間の経過とともに変化するように段階的に（複数モードで）制御されうる（光および／または音）。例えば、インジケータは、所定の期間が経過した後にゆっくりと点滅（またはビープ音発生）し（第１モードまたは段階）、次いで、例えば数日間にわたり、点滅またはビープ音の発生速度を徐々に高める（第２モードまたは段階）ことができる。
【００４４】
インジケータは、所定の期間が経過する数日または１週間前にゆっくり点滅するか、またはビープ音を発生するように制御することができ、次いで、インジケータランプは、所定の期間が経過したら点滅またはビープ音発生速度を徐々に高める（か、または連続光／音モードに移行する）ことができる。これにより、患者は、マスクの寿命が尽きる直前にマスクを注文することができる。また、この段階的警告があれば、早い段階ではまだマスクを使用できるので、患者のマスクに対する安心感が増すであろう。対照的に、１つの警告レベル、例えば、「ｒｅｐｌａｃｅ  ｍａｓｋ」しかないマスクだと、マスクの耐用寿命はまだあるのかはっきりしないことがあるため患者は心配になったり、パニックに陥ったりする可能性があり、また患者はインジケータの寿命が尽きたマスクを使用したがらないことがある。段階的警告を用いれば、交換時期がまだ到来していないのに患者が単にマスクを使用しないだけの望ましくない状況を回避できる。
【００４５】
電子リマインダーシステムは、好ましくは、患者インターフェイス、例えばマスクアセンブリのフレーム内に直接組み込まれる。システムは、好ましくは、開口部を持たない閉じた筐体内に封止され、これにより、例えば、システムは洗浄液、唾液などの影響を受けない。
【００４６】
［２．３  スタンドアロン型のリマインダーシステム］
一実施形態では、システムは、任意のマスクに、例えばヘッドギア、ランヤードなどへのフックおよびループファスナーに取り付けることができるスタンドアロン型システムとして販売することができる。したがって、患者は、古い使用済みマスクから新しい交換マスクにシステムを載せ替えることが可能である。さらに、システムは、新しいマスクによる治療が開始したときに患者側で活性化できるリセットボタンを備えることができる。
【００４７】
［２．４  プログラム可能］
システムは、さらに、プログラム可能なものとすることも可能であり、これにより、とるべき処置について、１つまたは複数のコンポーネントの複数のリマインダーを指示することができる。例えば、その全体が参照により本明細書に組み込まれる、特許文献２および特許文献３を参照のこと。それぞれ、流体発生装置内に組み込まれるさまざまなリマインダー、例えば、メニュー式リマインダーシステムを開示している。
【００４８】
［２．５  アクティベータ要素］
図１０〜１８は、それぞれアクティベータ要素を備える電子リマインダーシステムを例示している。アクティベータ要素は、複数の形態をとることができ、例えば、機械、磁気、ＲＦ、自動、レーザーなどの形態をとることができ、一部は、患者とメーカー／販売店（プロバイダ）の両方が活性化することができ、また一部は、プロバイダ側でのみ活性化できる。アクティベータ要素は、好ましくは、単一の時間のみ活性化可能、つまり、１回限り使用できる。
【００４９】
［２．５．１  プッシュボタンアクティベータ要素］
図１０〜１２では、システムは、押してクロック／タイマーをトリガできるプッシュボタン３００の形態のアクティベータ要素を備える。プッシュボタン３００は、この実施例において可塑的に変型可能である柔軟な、もしくは柔らかい頂部を持つ筐体３０５を有し、押し込まれるとこの位置で恒久的変形されたままとなり、したがって活性化されるのは１回だけである。この構造は、「オフ」から「オン」に１回だけ切り換えられるスイッチとして動作する。筐体は、例えば、金属もしくはプラスチックホイル、金属またはコーティングされたプラスチックなどで作ることができる。図１１は、事前活性化位置を示しているが、図１２は、活性化および事後活性化位置を示している。
【００５０】
図１３〜１４は、タイマー／クロックを活性化するため筐体３１０をボタンのように押し込むことができる他のボタン型実施形態を示している。筐体３１０は、マスクシェル／フレームまたはエルボーの一体部分として形成されうる、静止部分３３０上の２つの対応する凹み部分３２０、３２５のうちの１つと係合可能なフランジ付き部材３１５を備える。筐体３１０は、筐体のフランジが上側凹み３２０と係合する図１３の位置（「ＯＦＦ」位置）から、筐体のフランジが下側凹み３２５と係合する図１４の位置（「ＯＮ」位置）まで押し下げられ、これにより、タイマー／クロックが活性化される。
【００５１】
［２．５．２  衝撃ベースのアクティベータ要素］
図１５〜１６は、衝撃の原理に基づきタイマーを活性化するように動作可能なアクティベータ要素３５０を例示している。システム３５０は、微小機械的構成を有し、例えば、接着剤などで、マスクに貼り付けられるか、またはマスクに他の何らかの方法で備えられる。マスクへの衝撃は、アクティベータ要素内の小さな重り３５５を加速し、それにより、固定具３６０（例えば、プラスチックなどの壊れやすい材料）を壊し、次いでタイマー／クロックを活性化する。固定具が壊れるまで筐体を単に圧迫することにより衝撃を与えることができるか、またはマスクに「一撃を与える」か、またはマスクを他の何らかの形で厳格に取り扱うことにより衝撃をマスクに与えることができる。好ましくは、インジケータは、タイマーが正常に活性化されていることを示すサインを出す。
【００５２】
［２．５．３  磁気アクティベータ要素］
図１７〜１８は、タイマーを磁気により活性化するように動作可能なアクティベータ要素３６５を例示している。システムは、微小機械的構成を有し、例えば、接着剤などで、マスクに貼り付けられるか、またはマスクに他の何らかの方法で備えられる。システムは、磁石３７０を備える。タイマーを活性化するために、磁石３７０を引き付ける強力な磁石３７５が筐体の裏側の近くに配置される。これにより、タイマーを活性化する固定具３８０が動く。優先と適用に応じて（例えば、バネ力、腕の寸法）、磁石３７０は、固定具を壊すか、または単純に、タイマーを活性化するのに十分な距離だけそれを移動させる（例えば、伸ばす）ことができ、その場合、スイッチは、複数使用に適している。
【００５３】
［２．５．４  ＲＦ活性化要素］
活性化要素は、タイマーを活性化するための手段として無線周波数を含むことができる。これは、無線ＩＣ（ＲＦ  ＩＤ）タグと類似するものであろう。この実施例では、「タグ」は、マスクフレーム／シェル／筐体に備えられ、タグを介してタイマーを活性化するために強い電磁場が使用される。
【００５４】
［２．５．５  セルフテストの自動活性化］
タイマーの活性化は、例えば、電池を接続することにより、製造過程において自動的に実装されうる。例えば、セルフテスト中に、所定の時間が経過した後、インジケータにより結果が知らされる。次いで、システムは、自動的に遮断し、ユーザーによって活性化が開始される。
【００５５】
［２．５．６  レーザー活性化］
他の実施形態では、タイマーの活性化（および非活性化さえも）は、レーザーの形態の活性化要素を使用して実行されうる。この実施形態では、システムの筐体は、例えば、タイマーを活性化する赤外線が透過しうる材料で作られる。
【００５６】
［２．５．７  プルタブ］
他の実施形態では、アクティベータ要素は、ある種の子供用電池式おもちゃで利用できるタイプのプルタブの形態をとりうる。プルタブは、好ましくは、電気絶縁体材料で作られ、他の何らかの方法で患者に対し露出されているか、または患者からアクセス可能な第１の端部、および電池の一方の端子と電気コネクタとの間に挿入された、または回路を効果的に開状態にする他の何らかの位置にある第２の端部を有する。プルタグを（例えば、使用が開始するときに第１の端部を引くことにより）外すと、クロック／タイマーが始動する。クロック／タイマーで所定の長さの時間が経過した後、適切な処置を講じるように患者に信号が送信される。
【００５７】
［２．６  電池インジケータ実施形態］
他の実施形態では、新しいマスクを求めることを患者に促すように構造化された電池式インジケータをマスクに備えることができる。例えば、電池式で表示されるメッセージは、所定の期間が経過した後に活性化するようにでき、例えば、「ＲＥＰＬＡＣＥ  ＭＡＳＫ」を示すメッセージが、所定の期間が経過した後に点灯するようにできる。
【００５８】
さらに他の実施形態では、所定の期間が経過した後に不透明の窓のカバーが外れ、「ＲＥＰＬＡＣＥ  ＭＡＳＫ」というメッセージが現れるようにできる。特に、不透明の窓は、「ＲＥＰＬＡＣＥ  ＭＡＳＫ」メッセージを塞ぐように電池駆動式にできる。電池の電力が消耗すると、塞がれていたメッセージが、透けて見えるようになる、または目に見えるようになる。
【００５９】
さらに他の実施形態では、マスク交換の時期は、その寿命を示す電池に備えられている電池残量計と似た残量計により示されうる。例えば、この残量計は、その全体が参照により本明細書に組み込まれている非特許文献１および特許文献４および特許文献５において説明されているように構造化されうる。使用時に、電池は、マスク交換の時間に関連する所定の期間にわたって電力を消耗するように動作しうる。残量計は、マスク交換時期が迫っているときに患者がそのことを容易に判断できるように電池に備えることができる。
【００６０】
記述子フラグまたはメッセージ、例えば、「ＲＥＰＬＡＣＥ  ＭＡＳＫ」メッセージは、点滅するランプによる好ましいコミュニケーション様式としてよく、例えば、点滅するランプは、潜在的刺激源となりうるからである。
【００６１】
［３．０  機械的部分］
［３．１  ホイール］
図１９〜２０は、本発明のさらに他の実施形態によるリマインダーシステム４００を例示している。システム４００は、バックホイール４０５およびバックホイールに連結されたフロントホイール４１０の形態で基板を備え、そのために、例えば、スライドするアクスルまたはダッファー４１５を利用し、これによりフロントホイールおよびバックホイールは、互いに相対的に回転することができる。
【００６２】
相対的回転または他の相対的移動の後、フロントホイールの孔４２０の位置は、バックホイールの表面上に印刷されたさまざまなメッセージ４２５に合わさる。この実施例では、メッセージは、暦年の１２カ月分の名称であり、これで、患者またはプロバイダは、孔４２０を正しい月に合わせればよい（例えば、患者がマスクを使用し始めた日付から６カ月）。
【００６３】
図２１に示されているように、バックホイール４０５は、スライドするアクスルまたはダッファー４４０がセンタリングされている円形セクション４３５を備えるプレート４３０の形態をとり、フロントホイール４４５をプレートに連結できる。プレート４３０は、追加のメッセージまたは広告用のスペースを確保できる補助的部分４５０を備えることができる。それに加えて、この補助的部分は、紐またはランヤード４６０を通すことができる孔４５５を備え、これにより、システムをマスクに留めるか、または固定することができる。さらに、アクスル４１５、４４０は、この目的のために貫通孔を備えることができる（図２０を参照）。
【００６４】
［３．１．１  マスクとの直接成形］
底部プレートまたはホイールも、マスク上に直接一体化できる。例えば、底部プレートまたはホイールは、メッセージ（１年の各月）とともにマスクのフレーム上に直接成形することができる。次いで、フロントホイールをフレーム上に直接スナップ式にはめ込むことができる。アクスルをフレームとともに直接成形するか、またはフロントホイールにアクスルを含めることができる。さらに、底部プレートまたはホイールをＳ８上面図形状で設計することも可能であろう。
【００６５】
［３．２  折り畳みクリップ］
図２２〜２４は、本発明の他の実施形態によるリマインダーシステム４７５を例示している。システム４７５は、中央セクション４９０および定義済みの曲がりゾーン５２０を介して中央セクション４９０に接続されているフラップ４９５を有する折り畳みクリップの形態の基板４８０を備える。クリップは、好ましくは、形成時にその形状を保持するアルミニウム製であるが、紙または他の材料で作ることもでき、そのフラップは単に接着剤で互いに、またはヘッドギアにくっつけられるか、または他の何らかの方法で貼り付けることができる。それぞれのフラップ４９５は、メッセージ４９６、例えば「Ｐｌｅａｓｅ  ｒｅｐｌａｃｅ  ｉｎ  ．．．」を含むことができる。
【００６６】
他の変更形態では、フラップ４９５は、システムをヘッドギアのストラップ５０１に固定するためのフックおよびループファスナーを備えることも可能であろう（図２３および２４）。他の方法の場合、フラップをなくし、中央部分の裏面に、ヘッドギアストラップの一部としてすでに備えられている既存のフックまたはループ部分に貼り付けることができるフックまたはループ部分を含めることが可能である。
【００６７】
中央セクション４９０は、歴月のそれぞれの月のリストを含むカレンダーセクション５０５を備える。プロバイダまたは患者は、マスクの使用を開始した以降の所望の月にマークを付けるか、または穴開けし、これにより、マスクを交換すべき時期を確定する。ペンなどを使用して、紙に選択された月に対応する「ドット」の穴を開けるか、またはペンを使用して、単に、適切な丸５１０を、この場合は「Ｊｕｌｙ」に付けることができる。
【００６８】
図２３に示されているように、定義済みの曲がりゾーン５２０に従ってフラップ４９５を畳むことにより、折り畳みクリップ４８５はヘッドギアストラップ５０１に取り付けられる。図２４は、最終アセンブリを示しており、そこでは、カレンダーセクションは、好ましくは、ストラップの露出している側に位置する。
【００６９】
［３．３  スライドクリップ］
図２５〜２９は、本発明の他の実施形態によるリマインダーシステム５５０を示している。システム５５０は、本体５６０、第１の側５７０から伸びる１つまたは複数の目５６５、および溝５７５を含むクリップ５５５の形態の基板を備える。本体５１０は、好ましくは、成型プラスチックでできている。目５６５は、ヘッドギアストラップ５８０の幅と一致し、ヘッドギアストラップ５８０をねじ込む形で受け入れるような構造と寸法を有する。溝５７５は、その１年の月が印刷されているカレンダーセクション５８５を、マークまたは穴開けされている丸５９０の列とともに受け入れる構造を有する。
【００７０】
溝５７５は、３つの閉鎖側面と、カレンダー５８５を溝の中にスライドして入れることを目的として用意されている開放側面５９５を有する。開放側面は、好ましくは、ストラップの上部に形成されるが、底部または側面の１つに配置することも可能である。開放側面は、適宜、カレンダーをうっかり外せないように防ぐ構造、例えばニブルまたはへこみを備える。
【００７１】
［３．４  マスクリングリマインダーシステム］
図３０〜３６は、本発明のさらに他の実施形態によるリマインダーシステム６１０を備えるマスクアセンブリ６００例示している。システム６１０は、マスクの販売に使用されるパッケージ内に収納される複数のリング６１５（図３１）を備える。この実施例では、１２のリング６２０がボックスに収納され、それぞれのリングは１２カ月のうちの１つの月に対応する。もちろん、リマインダーが２カ月ずつ必要なだけであれば、１カ月おきに、例えば、１月、３月、５月などに、６個のリングだけを含むようにすることが可能である。これらのリングは、壊れやすい接続部を備える、単一ユニットとして成形することができるか、またはリングすべてを互いに離しておくことができる。
【００７２】
図３２は、１月から５月までの月に対するリング６２５、６３０、６３５、６４０、６４５を示しているが、図３３および３４は、リング６２０の後側６５０に備えることができるメッセージのタイプの２つの例を示している。それに加えて、リングの後側には、患者のかかりつけ医師またはマスクプロバイダの詳細、電話番号、または電子メールアドレスを記載することも可能である。
【００７３】
適切なリマインダー月が示されているリングが選択された後、リング６５５（図３５）は、マスクに取り付けられる。この実施例では、リング６５５は、加圧ガスを患者を送るように備えられているスイベルエルボー６６０（またはそのシリンダー状コネクタ）にフィットする寸法を有する。エルボー６６０は、選択されたリング６５５を適所に保持するくさび形フランジ部材６６５を備える。このフランジ部材は、「一方向」機能として作用するが、それは、実際に、リングを取り外せないことが望ましいからである。図３６は、組み立てられた位置におけるリング６５５を示している。
【００７４】
上記の実施形態では、リングは、比較的堅いプラスチック材料で作られているが、それでも、ごくわずかな程度の伸びでもくさび形フランジ６６５に打ち勝つことができる。
【００７５】
［３．４．１  円周リブを有するエルボー／コネクタ］
他の実施形態では、エルボーの円柱状コネクタは、リブ上で伸びることができるリングと連携するように構成されている円周リブを備えることができる。この場合、リングは、好ましくは、弾性材料で作られる。リブは、リブと連携する溝を備えることができる。
【００７６】
［３．４．２  単一リング］
他の実施形態では、単一リングのみが備えられ、意図されている交換月が、患者またはプロバイダによってマスクに直に手書きされる。そうでない場合、すべての月がプレプリントされた１枚のステッカーが用意され、患者またはプロバイダが、リング上の配置に適したステッカーを選択することができる。
【００７７】
［３．４．３  エルボー／スイベル上に示される月］
他の実施形態では、エルボーまたはスイベルに、１２カ月の各月を印刷するか、または他の何らかの形で記載することができ、所望の年に位置を合わせることができる穴またはスロットを持つ単一リングとともにマスクを販売することができる。
【００７８】
［４．０  快適機能］
マスクは、マスクの動作に必要ではないけれども、患者の快適さを高める１つまたは複数の機能を備えることができる。本発明の一態様は、これらの快適な機能を利用して、またはそのような機能のないことを利用して、患者にマスクの修理または交換を促すことである。
【００７９】
［４．１  芳香］
他の実施形態では、マスクシステムの一部は、患者が検知できる芳香、香り、または臭いを持つ１つまたは複数の物質から作られうる。例えば、マスククッションは、ＣＰＡＰ治療の運用を容易にする心地のよい香りを含むようにできる。
【００８０】
香りのする物質は、さまざまな方法でマスクアセンブリに付けることができる。例えば、クッションを香りのする物質に浸すか、または製造プロセスにおいてマスククッションを作るために使用されるシリコーンを混ぜ込むことができる。香りのする物質は、治療時に患者の体温が伝えられたときに香りがより活発に放出されるように加熱により活性化されうるものとしてよい。それに加えて、湿度および／または患者の体液（唾液、油、汗など）との相互作用が、活性化を増強しうる。
【００８１】
他の代替え形態では、香りのする物質を、マスクに取り付け可能な基板に施すこともできる。例えば、基板は、ヘッドギアに選択的に取り付け、取り外せるフックおよびループ締め付けシステムを備えることができる。
【００８２】
さらに他の代替え実施形態では、香りのする物質を、マスクの１つまたは複数のコンポーネント、例えば、ヘッドギア、クッションなどに施す、例えば、単純にスプレーすることができる。それとは別に、マスクコンポーネントを、香りのする物質で浸漬被覆することもできる。
【００８３】
どの形態が使用されようと、香りのする物質は、マスクまたはそのコンポーネントの修理もしくは交換を行うために患者への「フィードバック」信号として使用されうる。例えば、香りのする物質を、マスクコンポーネントの寿命に近い耐用寿命を持つように設定することもでき、例えば、香りのする物質とマスククッションの両方を、所定の期間、例えば、６カ月経過した後に交換する必要がある。患者は、マスククッションの交換の必要性を認識していない場合があるが、心地よい香りがなくなることが、患者が新しいマスクを注文するきっかけとなりうる。
【００８４】
［４．１．１  繰り返し活性化］
他の実施形態では、香りのする物質を繰り返し活性化することができる。例えば、香りのする物質は、１週間だけ持続するように構成することも可能であり、１週間が終わった時点において、患者は香りのする物質を再び活性化するためにマスクを洗う必要がある。食器洗い機に伴う水および／または高温が、次のサイクルでも望む香りが放出されるように香りのする物質の「燃料補給」つまり再び活力を吹き込むことが可能である。
【００８５】
さらに他のバージョンでは、マスクシステムは、マスクの交換、修理、または他の何らかの形の保守を患者が行うきっかけとなる（不快な）臭いを放出するように構成することも可能である。
【００８６】
［４．２  マッサージマスク］
他の実施形態では、快適機能は、その全体が参照により本明細書に組み込まれる特許文献６で開示されているようなマッサージマスクの形態をとる。
【００８７】
この実施形態では、マッサージ器は、マスクに対し予想される寿命に一致する電池寿命、例えば６カ月の寿命を持つ電池により有効化され、および／または動力を供給される。電池が消耗すると、マッサージ機能は、もはや有効化されず、患者は、マスクの交換を促される。
【００８８】
［５．０  他の実施形態］
［５．１  データベース計数］
この実施形態では、マスクデータベースの信号送出を行い、事象が発生したときにクロック／タイマーを活性化することができる。一実施例では、この事象は、患者が（まもなく）使用する新しいマスクシステムの開放である場合がある。例えば、データベースタイマーを活性化することができるマスク販売店に患者が郵送するカードをパッケージに添付することができる。それとは別に、パッケージまたはその中の要素は、データベースタイマーを活性化するマスク販売店に電子メールを送ることを患者に促すことも可能である。所定の期間が経過した後、マスクの修理／交換を行うことを患者に求める信号が生成される。
【００８９】
信号は、音声および／または視覚的信号の形態をとりうる。それに加えて、信号は、患者および／またはプロバイダに自動的に送信される電子メールまたはＳＭＳメッセージであってもよい。
【００９０】
［５．２  コネクタ認識］
他の変更形態では、マスクは、流体発生装置に接続されたときに、計数を開始する信号を発生するコネクタ要素とともに販売されうる。例えば、参照により本明細書に組み込まれる特許文献７を参照のこと。
【００９１】
［５．３  クリックカウンタ］
さらに他の変更形態では、「クリックカウンタ」をマスクに装備し、特定のコンポーネントがカチリと音を立てて適所にはまり、そこから外れる回数を単純に数えることができる。例えば、マスクは、典型的には、適所にカチリとはまる１つまたは複数のコンポーネント、例えば、フレーム内にカチリとはまるヘッドギアクリップまたはエルボー（例えば、ＲｅｓＭｅｄのＡｃｔｉｖａ  ＴＭマスク）、調節後カチリと鳴りうる調節可能なヨーク付きヘッドギア配列（例えば、ＲｅｓＭｅｄのＶｉｓｔａ  ＴＭマスク）、または調節時にカチリと鳴りうる調節可能な前額部支持体を備える。
【００９２】
マスクの経過時間を示す１つのインジケータは、これらのさまざまなカチリという音または調節が生じた回数であるとしてよい。そこで、一実施形態では、クリックカウンタを備えて、それぞれのカチリという音または調節を感知し、所定の回数の調節／カチリという音が感知されたときに患者に信号が送信される。信号が送られた後、患者は適切な処置を講じることができる。
【００９３】
［５．４  洗浄可能ステッカー］
他の実施形態では、リマインダーは、洗浄可能ステッカーの形態をとりうる。この実施形態では、それぞれの月を示すステッカーのシート１枚がマスクパッケージング内に含まれる。該当する月のステッカーが選択され、マスクに直接付けられる、例えば、フレーム、エルボーなどの上に付けられる。ステッカーは、通常の使用および食器洗い機洗浄に耐えられるように比較的頑丈な作りであるべきである。それに加えて、ステッカーは、所望のコンポーネント上の１つの位置にのみ正しく収まるような特別な形状を有していてもよい。
【００９４】
［５．５  スタンドアロン型のリマインダーシステム］
さらに他の実施形態では、リマインダーシステムは、個別に販売されるか、またはマスクまたは他のシステムと一緒に販売されうるスタンドアロン型システムの形態であってもよい。例えば、リマインダーは、マスクの使用が開始したときに計数を開始し、特定の処置を講じることを求めるアラーム（音響／視覚）を患者に送る寿命インジケータの形態をとりうる。一実施形態では、アラームは、磁気基板または基部に装着される単純なタイマー（例えば、６カ月）であってよい。そのようなものとして、リマインダーシステムは、患者の冷蔵庫か、または患者がリマインダーを見る可能性の高い他の何らかの金属面に磁気を利用して取り付けられうる。
【００９５】
例えば、磁気リマインダーシステムは、その全体が参照により本明細書に組み込まれている非特許文献２に例示されているのと類似しているものであってよい。そのようなリマインダーシステムにおいて、患者がボタン、例えば、上記のウェブの画像に示されているハート型のボタンなどを押したときに、例えばマスク交換の所定の時限（例えば、日単位で）にリセット可能なデジタルタイマーが備えられる。リセットされた後、デジタルタイマーは、０になるまで（例えば、１日１ずつ）カウントダウンする。リマインダーシステムが０を示すと、患者は、例えば、マスクまたはクッションを交換し、および／または洗浄する時期が来たことを理解する。マスクまたはクッションが交換および／または洗浄された後、タイマーは、もとのマスク交換の所定の時間にリセットされうる。一実施形態では、リマインダーシステムは、好適な期間、例えば、１週間毎に１回から５年毎に１回、好ましくは６〜１２カ月毎に１回のマスクまたはクッションの交換および／または洗浄を推奨することができる。
【００９６】
［６．０  寿命の複数の尺度−スライディングスケール］
他の実施形態では、所定の期間は、さまざまな入力の感知結果に基づき調節可能である。例えば、保険金払戻スケジュールおよびメーカーの提案により示唆されるような、マスクの交換のための公称推定値は、６カ月である。したがって、本明細書のリマインダーシステムは、患者が新しいマスクの払戻を受けられるという知らせを６カ月後に受け取るように設計される。
【００９７】
しかし、マスクは、マスクが適切に保守されているかどうかにより、実際には６カ月よりも長い寿命を有することもある。したがって、本発明の一実施形態は、マスクの交換に対する公称期間を調節するシステムを含む。
【００９８】
例えば、マスクの寿命に影響を及ぼしうる患者志向の因子および使用に関わる因子がある。患者関連因子は、患者が喫煙者であるかどうか、クリームを塗っているかどうか、ひどい汗をかくかどうか、皮膚の酸性度などを含む。使用に関わる因子は、ヘッドギアストラップまたは前額部支持体に何回調節が行われたか、感知されたカチリという音の発生回数、治療圧力などを含みうる。
【００９９】
患者および／または使用に関わる因子は、患者が書き込んだ質問票を用いて考慮することができる。これらの結果に応じて、公称寿命は、患者の詳細、および／または使用度に適合するように調節されうる。例えば、患者が喫煙者であり、治療圧力が比較的高い場合、公称寿命は、例えば、６カ月から５カ月以下に下げられる。もちろん、一方の使用尺度が否定的であっても、他方の使用尺度が肯定的である場合もあり、その場合、寿命は、調節できない。さらに、さまざまな尺度が、他の尺度に比べて影響度が大きい可能性がある。この場合、プロバイダは、患者因子および使用因子に適宜重みを付けることにより公称寿命を調節できる公式を考案することができる。
【０１００】
それに加えて、またはそれとは別に、関連因子の使用は、マスクが患者によって、例えば１つまたは複数のセンサを用いて、使用されている間に感知されうる。一実施例では、患者の体温が監視される。患者の体温が非常に高いか、または低い場合、体温がマスク寿命に影響を及ぼす可能性があるので、寿命の再計算時にそのことを考慮するとよい。
【０１０１】
他の実施例では、マスクが洗浄される回数が監視される。マスクの洗浄は、マスクの寿命に影響を及ぼしうる。マスクが定期的に洗浄されない場合、患者の治療が悪影響を受ける可能性があり、またマスク寿命も縮まることがある。したがって、公称寿命は、例えば、４〜５カ月ほど短縮され、患者はマスクの交換を求められる。明らかに、他の因子もさらにこの期間を短縮する可能性があり、したがって、公称寿命を調節する公式は、負の因子が他の何らかの形で公称寿命をその値よりも低くする可能性があるとしても、恐らく所定の最低寿命、例えば、２カ月という寿命を含むべきであろう。
【０１０２】
本発明は、最も実用的で、好ましい実施形態であると現在考えられているものに関して説明されているが、本発明は、開示されている実施形態に限定されず、却って、本発明の精神および範囲内に含まれるさまざまな修正形態および同等の配列を対象とすることを意図されていることは理解されるであろう。また、上述のさまざまな実施形態は、他の実施形態と併せて実装することが可能であり、例えば、一実施形態のいくつかの態様を、他の実施形態の態様と、さらに他の実施形態を実現するために組み合わせることができる。それに加えて、本発明は、ＯＳＡを患っている患者に特に適用されるが、他の疾病（例えば、うっ血性心不全、糖尿病、病的肥満、脳卒中、肥満症治療手術など）を患っている患者も、上記の教示からの恩恵を受けることができることは理解されるであろう。さらに、上記の教示は、非医療用途における患者および非患者にも適用可能である。
【図面の簡単な説明】
【０１０３】
【図１】本発明の第１の実施形態によるリマインダーシステムを例示する図である。
【図２】本発明の第１の実施形態によるリマインダーシステムを例示する図である。
【図２Ａ】本発明の一実施形態によるリマインダーシステムを活性化するプロセスを例示する図である。
【図２Ｂ】本発明の一実施形態によるリマインダーシステムを活性化するプロセスを例示する図である。
【図２Ｃ】本発明の一実施形態によるリマインダーシステムを活性化するプロセスを例示する図である。
【図２Ｄ】本発明の一実施形態によるリマインダーシステムを活性化するプロセスを例示する図である。
【図３】本発明の他の実施形態によるリマインダーシステムを含むクッションを例示する図である。
【図４】本発明の他の実施形態によるリマインダーシステムを含むクッションを例示する図である。
【図５】本発明の一実施形態による、センサを備えるリマインダーシステムの略図である。
【図６】本発明の他の実施形態による電子リマインダーシステムの略図である。
【図７】本発明の一実施形態による他の電子リマインダーシステムの略図である。
【図８】図７の電子リマインダーシステムの側面図である。
【図９】本発明の一実施形態によるリマインダーシステムの動作を説明するタイミング図である。
【図１０】本発明の一実施形態によるプッシュボタンを例示する図である。
【図１１】第１および第２の位置における、本発明の一実施形態によるプッシュボタンアクティベータ要素を例示する図である。
【図１２】第１および第２の位置における、本発明の一実施形態によるプッシュボタンアクティベータ要素を例示する図である。
【図１３】第１および第２の位置における、本発明の一実施形態によるプッシュボタンアクティベータ要素を例示する図である。
【図１４】第１および第２の位置における、本発明の一実施形態によるプッシュボタンアクティベータ要素を例示する図である。
【図１５】本発明の一実施形態による「衝撃」ベースのアクティベータ要素を例示する図である。
【図１６】本発明の一実施形態による「衝撃」ベースのアクティベータ要素を例示する図である。
【図１７】本発明の一実施形態による磁気ベースのアクティベータ要素を例示する図である。
【図１８】本発明の一実施形態による磁気ベースのアクティベータ要素を例示する図である。
【図１９】本発明の一実施形態によるリマインダーシステムを例示する図である。
【図２０】本発明の一実施形態によるリマインダーシステムを例示する図である。
【図２１】本発明の一実施形態によるリマインダーシステムを例示する図である。
【図２２】本発明の一実施形態によるリマインダーシステムを例示する図である。
【図２３】本発明の一実施形態によるリマインダーシステムを例示する図である。
【図２４】本発明の一実施形態によるリマインダーシステムを例示する図である。
【図２５】本発明の一実施形態によるリマインダーシステムを例示する図である。
【図２６】本発明の一実施形態によるリマインダーシステムを例示する図である。
【図２７】本発明の一実施形態によるリマインダーシステムを例示する図である。
【図２８】本発明の一実施形態によるリマインダーシステムを例示する図である。
【図２９】本発明の一実施形態によるリマインダーシステムを例示する図である。
【図３０】本発明の一実施形態によるリマインダーシステムを例示する図である。
【図３１】本発明の一実施形態によるリマインダーシステムを例示する図である。
【図３２】本発明の一実施形態によるリマインダーシステムを例示する図である。
【図３３】本発明の一実施形態によるリマインダーシステムを例示する図である。
【図３４】本発明の一実施形態によるリマインダーシステムを例示する図である。
【図３５】本発明の一実施形態によるリマインダーシステムを例示する図である。
【図３６】本発明の一実施形態によるリマインダーシステムを例示する図である。
【符号の説明】
【０１０４】
５  リマインダーシステム
１０  タグまたはハンガー
１２  層
１３  層
１４  小さなバンプスまたはボール
１５  ランヤード
１６  熱
１７  内部表面
１８  内部表面
２０  孔
２５  基板
３０  中間層
３５  カバー
４０  メッセージ
４４  バンプス
４５  クッション
５５  システム
６０  センサまたはモニタ
６５  コントローラ
７０  インジケータ
７５  リマインダーシステム
８０  電子システム
８５  基板
９０  コントローラ
９５  クロック／タイマー
１００  電源
１０５  インジケータ
１１０  アクティベータ要素
１１５  シェル
１２０  システム
１２５  基板／ＰＣＢ
１３０  制御チップ
１３５  クォーツ素子
１４０  インジケータ
１４５  アクティベータ要素
１５０  電源
１５５  シェル
３００  プッシュボタン
３１０  筐体
３１５  フランジ付き部材
３２０  凹み部分
３２５  凹み部分
３３０  静止部分
３５０  アクティベータ要素
３５５  重り
３６０  固定具
３６５  アクティベータ要素
３７０  磁石
３８０  固定具
４００  リマインダーシステム
４０５  バックホイール
４１０  フロントホイール
４１５  スライドするアクスルまたはダッファー
４３０  プレート
４３５  円形セクション
４４０  スライドするアクスルまたはダッファー
４４５  フロントホイール
４５５  孔
４６０  紐またはランヤード
４７５  リマインダーシステム
４８０  折り畳みクリップの形態の基板
４９０  中央セクション
４９５  フラップ
４９６  メッセージ
５０１  ヘッドギアのストラップ
５０５  カレンダーセクション
５１０  丸
５２０  定義済みの曲がりゾーン
５５０  リマインダーシステム
５５５  クリップ
５６０  本体
５６５  １つまたは複数の目
５７０  第１の側
５７５  溝
５８０  ヘッドギアストラップ
５８５  カレンダーセクション
５９０  マークまたは穴開けされている丸
５９５  開放側面
６００  マスクアセンブリ
６１０  リマインダーシステム
６１５  リング
６２０  リング
６２５  リング
６３０  リング
６３５  リング
６４０  リング
６４５  リング
６５０  後側
６５５  リング
６６０  スイベルエルボー
６６５  くさび形フランジ部材
【図１】
2009528093.tif 000003
【図２】
2009528093.tif 000004
【図２Ａ】
2009528093.tif 000005
【図２Ｂ】
2009528093.tif 000006
【図２Ｃ】
2009528093.tif 000007
【図２Ｄ】
2009528093.tif 000008
【図３】
2009528093.tif 000009
【図４】
2009528093.tif 000010
【図５】
2009528093.tif 000011
【図６】
2009528093.tif 000012
【図７】
2009528093.tif 000013
【図８】
2009528093.tif 000014
【図９】
2009528093.tif 000015
【図１０】
2009528093.tif 000016
【図１１】
2009528093.tif 000017
【図１２】
2009528093.tif 000018
【図１３】
2009528093.tif 000019
【図１４】
2009528093.tif 000020
【図１５】
2009528093.tif 000021
【図１６】
2009528093.tif 000022
【図１７】
2009528093.tif 000023
【図１８】
2009528093.tif 000024
【図１９】
2009528093.tif 000025
【図２０】
2009528093.tif 000026
【図２１】
2009528093.tif 000027
【図２２】
2009528093.tif 000028
【図２３】
2009528093.tif 000029
【図２４】
2009528093.tif 000030
【図２５】
2009528093.tif 000031
【図２６】
2009528093.tif 000032
【図２７】
2009528093.tif 000033
【図２８】
2009528093.tif 000034
【図２９】
2009528093.tif 000035
【図３０】
2009528093.tif 000036
【図３１】
2009528093.tif 000037
【図３２】
2009528093.tif 000038
【図３３】
2009528093.tif 000039
【図３４】
2009528093.tif 000040
【図３５】
2009528093.tif 000041
【図３６】
2009528093.tif 000042
【国際調査報告】
2009528093.tif 000043
2009528093.tif 000044
2009528093.tif 000045
2009528093.tif 000046
2009528093.tif 000047
2009528093.tif 000048